(57)【要約】【課題】固定挟着部と可動自在挟着部との合わせ面が粗面であるため、のぼり旗を挟持するときの摩擦力を高めるとともに、のぼり旗の着脱を簡便に行うことができる、広告のぼり旗用ポール立て台クイック組立固定構造を提供する。【解決手段】台座１０の中心部には、嵌着管座２０が設けられる。嵌着管座２０に第１縦管１が嵌着されてから、複数の縦管２，３が順次嵌着される。一番上の縦管３には、横管４が嵌着される。縦管１，２，３及び横管４の外側には、広告のぼり旗８０を挟持する複数のクリップ７０が取り付けられる。クリップ７０は、一側がそれぞれＣ字状を呈して縦管１，２，３及び横管４の外側に係合される。のぼり旗８０を挟持し、クリップ７０のＣ字状開口の２／３の位置には、固定挟着部が延設される。クリップ７０のＣ字状開口と固定挟着部とは垂直に配置される。固定挟着部の内側には、枢着耳が設けられる。【選択図】図２
0003198814.tif 000002
【実用新案登録請求の範囲】
【請求項１】
台座の中心部には、嵌着管座が設けられ、
前記嵌着管座に第１縦管が嵌着されてから、複数の縦管が順次嵌着され、
一番上の前記縦管には、横管が嵌着され、
前記縦管及び前記横管の外側には、広告のぼり旗を挟持する複数のクリップが取り付けられ、
前記クリップは、一側がそれぞれＣ字状を呈して前記縦管及び前記横管の外側に係合され、前記のぼり旗を挟持し、前記クリップのＣ字状開口の２／３の位置には、固定挟着部が延設され、前記クリップのＣ字状開口と前記固定挟着部とは垂直に配置され、前記固定挟着部の内側には、枢着耳が設けられ、
前記枢着耳には、可動自在挟着部が枢着され、
前記可動自在挟着部は、前記枢着耳に対応した上下２つの枢着部を有し、前記枢着部を介して前記枢着耳中に枢着され、前記可動自在挟着部を前記固定挟着部から離れるように開いたり前記固定挟着部へ向かって閉じたりし、前記固定挟着部及び前記可動自在挟着部の中間部の対応した箇所には、位置決め凹部及び位置決め凸部がそれぞれ設けられ、
前記位置決め凹部と前記位置決め凸部との間には、瓢箪形状を呈して互いに対応した係合溝及び係合部が設けられ、
前記位置決め凹部と前記位置決め凸部との間には、互いに対応した嵌着溝及び嵌着ブロックが設けられ、
前記位置決め凹部と前記位置決め凸部とは、前記係合溝及び前記係合部の前記嵌着溝及び前記嵌着ブロックにより堅牢に係止され、
前記固定挟着部及び前記可動自在挟着部の内側の上下対応した箇所には、２つの位置決めピン及び２つの位置決め片が設けられ、前記可動自在挟着部を掛止する際、前記２つの位置決め片を介して前記２つの位置決めピン上に位置決めされ、前記固定挟着部及び前記可動自在挟着部の外側には、前記可動自在挟着部を容易に開くことが可能な弧状凸部の開き部が設けられていることを特徴とする、広告のぼり旗用ポール立て台クイック組立固定構造。
【請求項２】
台座の中心部には、嵌着管座が設けられ、
前記嵌着管座に第１縦管が嵌着されてから、複数の縦管が順次嵌着され、
一番上の前記縦管には、横管が嵌着され、
前記縦管及び前記横管の外側には、広告のぼり旗を挟持する複数のクリップが取り付けられ、
前記台座の頂部中心部には、嵌着孔が形成され、
前記嵌着孔には、外方へ延びた複数の位置決め挿入口が形成され、前記嵌着孔の頂部には、内径が大きめの内エッジが設けられ、
前記嵌着管座には、前記嵌着孔に対応した複数の位置決め挿入口に複数の位置決め弾性片が設けられ、
前記位置決め弾性片の前記位置決め挿入口に対応した底部には、直角三角形を呈する歯が設けられ、前記歯の直角辺が前記位置決め挿入口の底面に当接され、
前記嵌着管座の中間部には、前記嵌着孔頂部の前記内エッジに対応した外エッジが設けられ、前記内エッジ上は前記外エッジにより覆われ、前記嵌着管座の底部中心には、底が狭く上に向かうに従い拡がった形状を呈する中空状円錐部が設けられ、前記円錐部に前記第１縦管が挿設される際、前記円錐部の傾斜により前記第１縦管は深く挿入されるほど強く押し付けられ、
前記嵌着管座の頂部内壁には、複数の第１の弾性締付け片が設けられ、前記嵌着管座の頂部外壁には、ナットを螺着固定する雄ねじが形成され、
前記ナットは、前記嵌着管座の前記雄ねじに螺着固定する雌ねじを内側に有し、前記ナットの中心部には軸孔が形成され、前記軸孔には前記第１縦管が挿設され、前記ナットの内部には、前記第１の弾性締付け片に対応する弾性係合アームが複数設けられ、
前記弾性係合アームには、前記第１の弾性締付け片の外側に対応するように、底が狭く上に向かうに従い拡がった形状を呈する押し部が形成され、前記ナットが締め付けられると、押し部により前記第１の弾性締付け片が内方へ押され、前記第１の弾性締付け片が前記第１縦管の外側を締め付けて固定することを特徴とする、広告のぼり旗用ポール立て台クイック組立固定構造。
【請求項３】
台座の中心部には、嵌着管座が設けられ、
前記嵌着管座に第１縦管が嵌着されてから、複数の縦管が順次嵌着され、
一番上の前記縦管には、横管が嵌着され、
前記縦管及び前記横管の外側には、広告のぼり旗を挟持する複数のクリップが取り付けられ、
接合する２つの前記縦管の外径は大小であり、前記２つの縦管が接合される箇所には、大小管接合装置が取り付けられ、
前記大小管接合装置は、大管嵌着部材及び小管嵌着部材を含み、前記大管嵌着部材の下部内側には、大軸着孔が形成され、
前記大軸着孔の内径と前記大縦管の外径とは等しく、
前記大軸着孔の頂部には、ストッパ縁が設けられ、
前記大縦管の頂部が前記大軸着孔中に嵌合されて前記ストッパ縁に当接され、
前記大管嵌着部材の上部及び中間部には、複数の第２の弾性締付け片及び第３の弾性締付け片が設けられ、
前記大管嵌着部材の中間部には、前記小管嵌着部材を螺着する雄ねじ部分が設けられ、
前記小管嵌着部材は、前記大管嵌着部材の前記雄ねじ部分に対応する雌ねじ部分を内面に有し、前記雌ねじ部分が前記雄ねじ部分に螺着固定され、
前記小管嵌着部材は、小軸着孔を中心部に有し、
前記小軸着孔の内径と前記小縦管の外径とは等しく、
前記小管嵌着部材は、前記大管嵌着部材の前記第２の弾性締付け片に対応し、上が狭く底に向かうに従い拡がった形状を呈する円錐孔を内部に有し、
前記小管嵌着部材が締め付けられると、前記円錐孔により前記第２の弾性締付け片が内方へ押圧され、上部に位置する前記第２の弾性締付け片により前記小縦管の外側を締め付け、前記小管嵌着部材が締め付けられると、前記雌ねじ部分により下部に位置する前記第３の弾性締付け片が内方へ押圧され、前記第３の弾性締付け片が前記大縦管の外側を締め付けて固定することを特徴とする、広告のぼり旗用ポール立て台クイック組立固定構造。
【請求項４】
台座の中心部には、嵌着管座が設けられ、
前記嵌着管座に第１縦管が嵌着されてから、複数の縦管が順次嵌着され、
一番上の前記縦管には、横管が嵌着され、
前記縦管及び前記横管の外側には、広告のぼり旗を挟持する複数のクリップが取り付けられ、
前記一番上の縦管と前記横管との接合箇所には、縦管・横管軸着装置が取り付けられ、
前記縦管・横管軸着装置は、嵌着部材と、軸着部材と、２つのキャップとを含み、
前記嵌着部材の下端には、複数の押付け凸状リングが設けられ、
前記嵌着部材の中間部には、一番上の前記縦管の上端に押し付けられて位置決めする外ストッパ縁が設けられ、前記嵌着部材の上端には、前記一番上の縦管の上端を露出する軸杆及び雄ねじセクションが形成され、
前記軸杆下の１／２の位置には、複数の位置決めリブが直列配置され、
前記軸着部材の一端には、前記横管が嵌着される軸スリーブが設けられ、
前記軸着部材の中心部には、枢着孔が形成され、
前記嵌着部材の前記雄ねじセクションが前記枢着孔から突出されて前記キャップが螺着固定され、前記横管は３６０度回転可能であり、
前記枢着孔上部の１／２の位置には、前記位置決めリブに対応する位置決め溝が複数形成され、前記嵌着部材中に前記軸着部材が逆向きに取り付けられ、前記位置決め溝が前記位置決めリブ中に位置決めされ、前記横管が回転することを防ぎ、前記軸着部材には、前記軸スリーブが設けられた側と反対側にねじ部分が設けられ、前記ねじ部分には、もう一つのキャップが螺着され、前記２つのキャップの中心部には、ねじ孔がそれぞれ形成され、前記嵌着部材の前記雄ねじセクションと、前記軸着部材の前記ねじ部分とが前記ねじ孔にそれぞれ螺着されることを特徴とする、広告のぼり旗用ポール立て台クイック組立固定構造。
【考案の詳細な説明】
【技術分野】
【０００１】
本考案は、広告のぼり旗用ポール立て台クイック組立固定構造に関し、特に、広告のぼり旗固定台に応用する旗用ポールとのぼり旗とのクリップ、のぼり旗間のクイック接合、のぼり旗と固定台との堅牢な支持及びのぼり旗の回転及び角度固定の技術に関する。
【背景技術】
【０００２】
従来の広告のぼり旗ポール立て台は、一般に台座の中心部に旗用ポールを挿設した後、旗用ポールに一面の広告のぼり旗を掛設し、広告のぼり旗により広告宣伝効果を得る。
【０００３】
従来ののぼり旗固定台を実際に使用する際、以下（１）〜（５）の問題点及び欠点があり、改善が求められていた。
（１）クリップのＣ字状の１／２の位置には、挟着片が延設され、挟着片とＣ字状開口とが同じ方向で平行に配置されているため、のぼり旗が風に吹かれるか外力により引っ張られると外れてしまうことがある上、クリップの交換も容易でない。
（２）旗用ポールの接合が困難である。
（３）旗用ポールが揺れ易い。
（４）旗用ポールとのぼり旗とを回転させることができない。
（５）消費者の注意をひきつけて広告効果を高めることができない。
【考案の概要】
【考案が解決しようとする課題】
【０００４】
本考案の第１の目的は、縦管及び横管に複数のクリップが取り付けられ、クリップはＣ字状を呈し、クリップの内周に設けた凸マークにより第１〜第３縦管の外壁との摩擦力を減らし、クリップのＣ字状開口の２／３の位置に固定挟着部が延設され、固定挟着部の内側に可動自在挟着部が枢着され、固定挟着部及び可動自在挟着部の外側には弧状凸部の開き部が設けられ、可動自在挟着部は開き部により容易に開くことができ、固定挟着部と可動自在挟着部との合わせ面が粗面であるため、のぼり旗を挟持するときの摩擦力を高めるとともに、のぼり旗の着脱を簡便に行うことができる、広告のぼり旗用ポール立て台クイック組立固定構造を提供することにある。
本考案の第２の目的は、台座頂部の中心に嵌着孔が形成され、嵌着孔に嵌着管座が嵌着固定され、嵌着孔の頂部及び底部には、内エッジ及び２つの位置決め挿入口がそれぞれ設けられ、嵌着管座には、内エッジ及び位置決め挿入口に対応し、外エッジと、係合片を有する２つの位置決め弾性片とが設けられ、嵌着管座が嵌着孔に嵌着される際、外エッジにより内エッジを覆い、位置決め弾性片の係合片が位置決め挿入口の底面に係合されるため、嵌着管座の支持力が高まり、嵌着管座を台座と堅牢に結合して一体化し、嵌着管座の底部中心には、底が狭く上に向かうに従い拡がった形状を呈する中空状円錐部が設けられ、円錐部に第１縦管が挿設され、円錐部の傾斜を利用し、第１縦管が深く挿入されるほど強く押し付けられ、旗用ポールを台座に堅牢に固定することができる、広告のぼり旗用ポール立て台クイック組立固定構造を提供することにある。
本考案の第３の目的は、横管の一端には、第３縦管の軸方向に対応した縦管・横管軸着装置が設けられ、縦管・横管軸着装置は、第３縦管の上端に位置する横管の当接端に嵌着部材及び軸着部材を有し、嵌着部材及び軸着部材は、対応した軸杆及び枢着孔を有し、軸杆及び枢着孔の１／２の位置には、互いに対応した複数の位置決めリブ及び位置決め溝が直列配置され、嵌着部材の上端には、雄ねじセクションが設けられ、キャップが螺着固定され、横管が３６０度で回転可能であり、のぼり旗の角度を調整する場合、嵌着部材中に軸着部材を逆向きに取り付けるだけで、複数の位置決め溝を複数の位置決めリブ中に位置決めし、旗用ポール及びのぼり旗の展示角度を調整することができる、広告のぼり旗用ポール立て台クイック組立固定構造を提供することにある。
本考案の第４の目的は、旗用ポールの第３縦杆及び横杆のキャップのねじ孔中に飾り物を挿設し、飾り物を風車又は蝶々にして消費者の注意をひきつけて広告効果を高める、広告のぼり旗用ポール立て台クイック組立固定構造を提供することにある。
【図面の簡単な説明】
【０００５】
【図１】本考案の一実施形態に係る広告のぼり旗用ポール立て台クイック組立固定構造を示す斜視図である。
【図２】本考案の一実施形態に係る広告のぼり旗用ポール立て台クイック組立固定構造を示す分解斜視図である。
【図３】本考案の一実施形態に係る広告のぼり旗用ポール立て台クイック組立固定構造のベース、コネクタホルダー、ナットを示す分解斜視図である。
【図４】本考案の一実施形態に係る広告のぼり旗用ポール立て台クイック組立固定構造のベース、コネクタホルダー、ナットを示す断面図である。
【図５】図４の線Ｒ−Ｒに沿った断面図である。
【図６】図４の線Ｅ−Ｅに沿った断面図である。
【図７】本考案の一実施形態に係る広告のぼり旗用ポール立て台クイック組立固定構造のクイック接合装置を示す分解斜視図である。
【図８】本考案の一実施形態に係る広告のぼり旗用ポール立て台クイック組立固定構造のクイック接合装置により接合するときの連続動作状態を示す説明図である。
【図９】図８の線Ｆ−Ｆに沿った断面図である。
【図１０】本考案の大小管接合装置を示す分解斜視図である。
【図１１】本考案の一実施形態に係る広告のぼり旗用ポール立て台クイック組立固定構造の大小管接合装置により接合するときの連続動作状態を示す説明図である。
【図１２】図１１の線Ｄ−Ｄに沿った断面図である。
【図１３】本考案の一実施形態に係る広告のぼり旗用ポール立て台クイック組立固定構造の縦管・横管軸着装置を示す分解斜視図である。
【図１４】本考案の一実施形態に係る広告のぼり旗用ポール立て台クイック組立固定構造の縦管・横管軸着装置を３６０度回転させた状態を示す断面図である。
【図１５】図１４の線Ｍ−Ｍに沿った断面図である。
【図１６】本考案の一実施形態に係る広告のぼり旗用ポール立て台クイック組立固定構造の広告のぼり旗を３６０度回転させた状態を示す説明図である。
【図１７】本考案の一実施形態に係る広告のぼり旗用ポール立て台クイック組立固定構造の軸着部材を取り出す状態を示す動作図である。
【図１８】本考案の一実施形態に係る広告のぼり旗用ポール立て台クイック組立固定構造の軸着部材を逆向きに取り付ける状態を示す動作図である。
【図１９】本考案の一実施形態に係る広告のぼり旗用ポール立て台クイック組立固定構造の縦管・横管軸着装置の角度を固定するときの状態を示す断面図である。
【図２０】図１９の線Ｔ−Ｔに沿った断面図である。
【図２１】本考案の第１種クリップを示す斜視図である。
【図２２】本考案の第２種クリップを示す斜視図である。
【図２３】本考案の第１種クリップを示す分解斜視図である。
【図２４】本考案の第１種クリップを係合する前の状態を示す動作図である。
【図２５】本考案の第１種クリップを係合した後の状態を示す動作図である。
【図２６】本考案の一実施形態に係る広告のぼり旗用ポール立て台クイック組立固定構造に風車及び蝶々の飾り物を取付けたときの使用状態の説明図である。
【考案を実施するための形態】
【０００６】
図１及び図２を参照する。図１は、本考案の一実施形態に係る広告のぼり旗用ポール立て台クイック組立固定構造を示す斜視図である。図２は、本考案の一実施形態に係る広告のぼり旗用ポール立て台クイック組立固定構造を示す分解斜視図である。図１及び図２に示すように、本考案の一実施形態に係る広告のぼり旗用ポール立て台クイック組立固定構造は、少なくとも３本の縦管１，２，３と、少なくとも１本の横管４と、台座１０と、嵌着管座２０と、ナット３０と、クイック接合装置４０と、大小管接合装置５０と、縦管・横管軸着装置６０と、複数のクリップ７０と、のぼり旗８０とから構成されてなる。
【０００７】
図３〜図６を参照する。図３は、本考案の一実施形態に係る広告のぼり旗用ポール立て台クイック組立固定構造のベース、コネクタホルダー、ナットを示す分解斜視図である。図４は、本考案の一実施形態に係る広告のぼり旗用ポール立て台クイック組立固定構造のベース、コネクタホルダー、ナットを示す断面図である。図５は、図４の線Ｒ−Ｒに沿った断面図である。図６は、図４の線Ｅ−Ｅに沿った断面図である。図３〜図６に示すように、台座１０は、砂、水などの重量物を注入する中空部を内部に有する。台座１０の頂部の適宜な箇所には、注入孔１１及び外蓋１２が設けられ、注入孔１１を介して砂又は水などの流体が注入された後、外蓋１２により注入孔１１を覆う。外蓋１２の頂部の中心部には、嵌着孔１３が形成されている。嵌着孔１３の両側には、外方に延びる２つの位置決め挿入口１４が形成されている。嵌着孔１３の頂部には、内径が大きめの内エッジ１５が設けられ、嵌着孔１３、位置決め挿入口１４及び内エッジ１５を介して嵌着管座２０を嵌合して固定する。
【０００８】
嵌着管座２０の両側には、上述した嵌着孔１３の２つの位置決め挿入口１４に対応する２つの位置決め弾性片２１が設けられている。２つの位置決め弾性片２１の底部には、２つの位置決め挿入口１４に対応する直角三角形を呈する２つの歯２２が設けられ、２つの歯２２の直角辺は、２つの位置決め挿入口１４の底面に当接される。嵌着管座２０には、嵌着孔１３の内エッジ１５に対応する外エッジ２３が設けられ、外エッジ２３により内エッジ１５上を覆って嵌着管座２０の支持力を高め、嵌着管座２０と台座１０とを堅牢に結合して一体化する。嵌着管座２０の底部中心には、底が狭く上に向かうに従い拡がった形状を呈する中空状円錐部２４が設けられ、円錐部２４に第１縦管１が挿設されると、円錐部２４の傾斜により、第１縦管１が深く挿入されるほど強く押し付けられ（図６を参照する）、嵌着管座２０の頂部内壁には、複数の第１の弾性締付け片２５が設けられ、嵌着管座２０の頂部外壁には、ナット３０を螺着する雄ねじ２６が設けられている。
【０００９】
ナット３０は、上述した嵌着管座２０の雄ねじ２６に対応する雌ねじ３１を内側に有し、雌ねじ３１に雄ねじ２６が螺着される。ナット３０の中心部には軸孔３２が形成され、この軸孔３２には第１縦管１が挿設される。ナット３０の内部には、上述した嵌着管座２０の複数の第１の弾性締付け片２５の外側に対応する弾性係合アーム３３が設けられている。弾性係合アーム３３には、上述した第１の弾性締付け片２５に対応し、底が狭く上に向かうに従い拡がった形状を呈する押し部３４が形成されている。この構成により、ナット３０が締め付けられると、押し部３４により複数の第１の弾性締付け片２５が内方へ押され、複数の第１の弾性締付け片２５が第１縦管１の外側を締め付ける（図５を参照する）。
【００１０】
図７〜図９を参照する。図７は、本考案の一実施形態に係る広告のぼり旗用ポール立て台クイック組立固定構造のクイック接合装置を示す分解斜視図である。図８は、本考案の一実施形態に係る広告のぼり旗用ポール立て台クイック組立固定構造のクイック接合装置により接合するときの連続動作状態を示す説明図である。図９は、図８の線Ｆ−Ｆに沿った断面図である。図７〜図９に示すように、第１縦管１の外径と第２縦管２の外径とは等しい。第１縦管１と第２縦管２との接合箇所には、クイック接合装置４０が取り付けられている。クイック接合装置４０は、嵌着バンプ４１、嵌着凹部材４２及び接続部材４３を含む。嵌着バンプ４１の下端には、複数の押付け凸状リング４１１が設けられている。嵌着バンプ４１の中間部には、第１縦管１の上端に押し付けられる外ストッパ縁４１２が設けられている。嵌着バンプ４１の上端には、第１縦管１の外側へ露出される嵌着凸部４１３が設けられている。嵌着凸部４１３の両側には、２つの弾性係合片４１４が設けられている。２つの弾性係合片４１４の外側には、２つの係合片４１５が設けられている。嵌着凹部材４２の上端には、複数の押付け凸状リング４２１が設けられている。嵌着凹部材４２の下端には、外ストッパ縁４２２が設けられ、外ストッパ縁４２２を介して第２縦管２の下端に押し付けられる。嵌着凹部材４２は、嵌着バンプ４１の嵌着凸部４１３に対応する嵌着凹部４２３を内側に有する。嵌着凹部４２３は、２つの係合片４１５に対応する２つの係止孔４２４を両側に有し、係止孔４２４中には嵌着バンプ４１の係合片４１５が係合される（図８及び図９を参照する）。第１縦管１と第２縦管２とが接合される箇所の外側には、接続部材４３が嵌合される。接続部材４３の内側中央部には、嵌着バンプ４１と嵌着凹部材４２の外ストッパ縁４１２，４２２とを接続するために用いる内エッジ４３１が設けられ、嵌着バンプ４１と嵌着凹部材４２の外側には、２つの凸部４１６、４２５が両側に設けられ、接続部材４３には、２つの凸部４１６，４２５に対応する２つの凹部４３２が内側に形成され、嵌着バンプ４１及び嵌着凹部材４２が接続部材４３に接続されると、外側に設けた２つの凸部４１６，４２５が２つの凹部４３２中に位置決めされ、接続部材４３が回転することを防ぐ。
【００１１】
図１０〜図１２を参照する。図１０は、本考案の大小管接合装置を示す分解斜視図である。図１１は、本考案の一実施形態に係る広告のぼり旗用ポール立て台クイック組立固定構造の大小管接合装置により接合するときの連続動作状態を示す説明図である。図１２は、図１１の線Ｄ−Ｄに沿った断面図である。図１０〜図１２に示すように、第２縦管２の外径は、第３縦管３の外径より僅かに大きい。第２縦管２と第３縦管３との接合箇所には、大小管接合装置５０が取り付けられている。大小管接合装置５０は、大管嵌着部材５１及び小管嵌着部材５２を含む。大管嵌着部材５１下部の内側には、大軸着孔５１１が形成されている。大軸着孔５１１の内径と第２縦管２の外径とは等しい。大軸着孔５１１の頂部には、ストッパ縁５１２が設けられ、第２縦管２の頂部が大軸着孔５１１中に嵌合されてストッパ縁５１２上に当接される。大管嵌着部材５１の上部及び中間部には、複数の弾性締付け片５１３，５１４が設けられている。大管嵌着部材５１の中間部には、小管嵌着部材５２を螺着する雄ねじ部分５１５が設けられている。小管嵌着部材５２は、上述した大管嵌着部材５１の雄ねじ部分５１５に対応する雌ねじ部分５２１を内面に有し、雌ねじ部分５２１が雄ねじ部分５１５中に螺着固定される。小管嵌着部材５２の中心部には、小軸着孔５２２が形成されている。小軸着孔５２２には、第３縦管３が挿設される。小管嵌着部材５２は、上述した大管嵌着部材５１の複数の第２の弾性締付け片５１３に対応し、上が狭く底に向かうに従い拡がった形状を呈する円錐孔５２３を内部に有する。小管嵌着部材５２が締め付けられると、円錐孔５２３により複数の第２の弾性締付け片５１３が内方へ押圧されてから、上部に位置する複数の第２の弾性締付け片５１３により第３縦管３の外側を締め付けて（図１１を参照する）、第３縦管３の長さを調整するとともに、小管嵌着部材５２が締め付けられると、雌ねじ部分５２１により下方に位置する複数の第３の弾性締付け片５１４を内方へ押圧し、第２縦管２の外側に下方に位置する複数の第３の弾性締付け片５１４を締め付けて固定する（図１２を参照する）。
【００１２】
図１３を参照する。図１３は、本考案の一実施形態に係る広告のぼり旗用ポール立て台クイック組立固定構造の縦管・横管軸着装置を示す分解斜視図である。図１３に示すように、横管４の一端には、第３縦管３の軸方向に対応する縦管・横管軸着装置６０が設けられている。縦管・横管軸着装置６０は、嵌着部材６１と、軸着部材６２と、２つのキャップ６３とを含む。嵌着部材６１の下端には、複数の押付け凸状リング６１１が設けられている。嵌着部材６１の中間部には、第３縦管３の上端に押し付けられて固定する外ストッパ縁６１２が設けられている。嵌着部材６１の上端には、第３縦管３の上端を露出する軸杆６１３及び雄ねじセクション６１４が形成されている。軸杆６１３の１／２の位置には、複数の位置決めリブ６１５が直列配置され、軸着部材６２の一端には、横管４が嵌着される軸スリーブ６２１が設けられている。軸着部材６２の中心部には、枢着孔６２２が形成されている。枢着孔６２２には、嵌着部材６１から突出された雄ねじセクション６１４にキャップ６３が螺着され、横管４は３６０度で回転可能である（図１４〜図１６を参照する）。枢着孔６２２の上部１／２の位置には、複数の位置決めリブ６１５に対応する複数の位置決め溝６２３が形成され、嵌着部材６１中に軸着部材６２が逆向きに取り付けられると（図１７及び図１８を参照する）、複数の位置決め溝６２３が複数の位置決めリブ６１５中に位置決めされ、横管４が回転することを防ぐことができる（図１９及び図２０を参照する）。軸着部材６２には、軸スリーブ６２１が設けられた側と反対側にねじ部分６２４が設けられ、ねじ部分６２４には、もう一つのキャップ６３が螺着される。２つのキャップ６３の中心部には、ねじ孔６３１がそれぞれ形成される。ねじ孔６３１には、嵌着部材６１の雄ねじセクション６１４と、軸着部材６２のねじ部分６２４とが螺着される。
【００１３】
図２１〜図２３を参照する。図２１は、本考案の第１種クリップを示す斜視図である。図２２は、本考案の第２種クリップを示す斜視図である。図２３は、本考案の第１種クリップを示す分解斜視図である。図２１〜図２３に示すように、第１種及び第２種のクリップ７０の一側はそれぞれＣ字状を呈する。第１種クリップ７０は、大きめであり、第１縦管１、第２縦管２及び第３縦管３の外側に係合される。第２種クリップ７０が小さめである場合、横管４の外側に係合される。第１種クリップ７０の内周には、第１縦管１、第２縦管２及び第３縦管３の外壁に発生する摩擦力を減らすために用いる凸マーク７０１が設けられている。第２種クリップ７０は、内周に凸マーク７０１が設けられていない点以外、第１種クリップ７０と同じ構造を有する。クリップ７０のＣ字状開口の２／３の位置には、固定挟着部７１が延設され、クリップ７０のＣ字状開口と固定挟着部７１とが垂直に配置され、のぼり旗８０が堅牢に挟持されているため外れることがない。固定挟着部７１の内側には、枢着耳７２が設けられている。枢着耳７２には、可動自在挟着部７３が枢着されている。可動自在挟着部７３は、枢着耳７２に対応する上下２つの枢着部７４を有し、枢着部７４を介して枢着耳７２中に枢着され、可動自在挟着部７３を固定挟着部７１から開いたり、固定挟着部７１へ向けて閉じたりすることができる。固定挟着部７１と可動自在挟着部７３との間には、互いに対応した位置決め凹部７５及び位置決め凸部７６が設けられている。位置決め凹部７５と位置決め凸部７６との間には、瓢箪形状を呈して係合溝７７に対応する係合部７８が設けられている。位置決め凹部７５と位置決め凸部７６との間には、嵌着溝７１２及び嵌着ブロック７３２が設けられ、位置決め凹部７５及び位置決め凸部７６は、係合溝７７、係合部７８及び嵌着溝７１２を介して嵌着ブロック７３２を堅牢に係止し、嵌合一体化させる（図２４及び図２５を参照する）。固定挟着部７１及び可動自在挟着部７３の内側の上下対応した箇所には２つの位置決めピン７１１及び２つの位置決め片７３１が設けられ、可動自在挟着部７３を掛止する際、２つの位置決め片７３１を介して位置決めピン７１１上に位置決めされる。固定挟着部７１及び可動自在挟着部７３の外側には、弧状凸部の開き部７９が設けられ、可動自在挟着部７３は開き部７９により容易に開くことができる。固定挟着部７１と可動自在挟着部７３との合わせ面は粗面であるため、のぼり旗８０を挟持する摩擦力を高めることができる。
【００１４】
のぼり旗８０は、広告を表示する布面である。
【００１５】
以下、上述した各部材を組み合わせて構成した本考案の広告のぼり旗用ポール立て台クイック組立固定構造の実際の操作について説明する。
【００１６】
図２６を参照する。図２６は、本考案の一実施形態に係る広告のぼり旗用ポール立て台クイック組立固定構造に風車及び蝶々の飾り物を取付けたときの使用状態の説明図である。図２６に示すように、本考案の一実施形態に係る広告のぼり旗用ポール立て台クイック組立固定構造は、第３縦管３及び横管４の２つのキャップ６３の２つのねじ孔６３１中に２つの飾り物９０を挿設する。飾り物９０は、消費者の注意をひきつけて広告効果を高めることができる風車、蝶々でもよい。
【符号の説明】
【００１７】
１  第１縦管
２  第２縦管
３  第３縦管
４  横管
１０  台座
１１  注入孔
１２  外蓋
１３  嵌着孔
１４  位置決め挿入口
１５  内エッジ
２０  嵌着管座
２１  位置決め弾性片
２２  歯
２３  外エッジ       
２４  円錐部
２５  第１の弾性締付け片
２６  雄ねじ
３０  ナット
３１  雌ねじ
３２  軸孔
３３  弾性係合アーム
３４  押し部
４０  クイック接合装置
４１  嵌着バンプ
４２  嵌着凹部材
４３  接続部材
５０  大小管接合装置
５１  大管嵌着部材
５２  小管嵌着部材
６０  縦管・横管軸着装置
６１  嵌着部材
６２  軸着部材
６３  キャップ
７０  クリップ
７１  固定挟着部
７２  枢着耳
７３  可動自在挟着部
７４  枢着部
７５  位置決め凹部
７６  位置決め凸部
７７  係合溝
７８  係合部
７９  開き部
８０  のぼり旗
９０  飾り物
４１１  押付け凸状リング
４１２  外ストッパ縁
４１３  嵌着凸部
４１４  弾性係合片
４１５  係合片
４１６  凸部
４２１  押付け凸状リング
４２２  外ストッパ縁
４２３  嵌着凹部
４２４  係止孔       
４２５  凸部
４３１  内エッジ
４３２  凹部
５１１  大軸着孔
５１２  ストッパ縁
５１３  第２の弾性締付け片
５１４  第３の弾性締付け片
５１５  雄ねじ部分
５２１  雌ねじ部分
５２２  小軸着孔
５２３  円錐孔
６１１  押付け凸状リング
６１２  外ストッパ縁
６１３  軸杆
６１４  雄ねじセクション
６１５  位置決めリブ
６２１  軸スリーブ
６２２  枢着孔
６２３  位置決め溝
６２４  ねじ部分
６３１  ねじ孔
７０１  凸マーク
７１１  位置決めピン
７１２  嵌着溝
７３１  位置決め片
７３２  嵌着ブロック
【図１】
0003198814.tif 000003
【図２】
0003198814.tif 000004
【図３】
0003198814.tif 000005
【図４】
0003198814.tif 000006
【図５】
0003198814.tif 000007
【図６】
0003198814.tif 000008
【図７】
0003198814.tif 000009
【図８】
0003198814.tif 000010
【図９】
0003198814.tif 000011
【図１０】
0003198814.tif 000012
【図１１】
0003198814.tif 000013
【図１２】
0003198814.tif 000014
【図１３】
0003198814.tif 000015
【図１４】
0003198814.tif 000016
【図１５】
0003198814.tif 000017
【図１６】
0003198814.tif 000018
【図１７】
0003198814.tif 000019
【図１８】
0003198814.tif 000020
【図１９】
0003198814.tif 000021
【図２０】
0003198814.tif 000022
【図２１】
0003198814.tif 000023
【図２２】
0003198814.tif 000024
【図２３】
0003198814.tif 000025
【図２４】
0003198814.tif 000026
【図２５】
0003198814.tif 000027
【図２６】
0003198814.tif 000028